(57)【特許請求の範囲】
【請求項１】
空気調和装置の室内ユニット（10）が吹き出す空気を受ける水平羽根（110）と、
上記水平羽根（110）を支持する支持部材（120）と、
を備え、
上記支持部材（120）は、上記室内ユニット（10）の吹出口（24）に設けられて所定範囲で回転する室内ユニット用風向調整羽根（53）の回転軸部分（51,60）に引っ掛かる引掛部材（121）と、該引掛部材（121）が固定される本体部材（122）とを有している
ことを特徴とする風向調整装置。
【請求項２】
請求項１において、
上記引掛部材（121）は、Ｕ字状の板部材であることを特徴とする風向調整装置。
【請求項３】
請求項１又は請求項２において、
上記本体部材（122）は、上記引掛部材（121）に組み付いて該引掛部材（121）を仮止めする仮止め部（122d）を備えていることを特徴とする風向調整装置。
【請求項４】
請求項１から請求項３の何れかにおいて、
上記支持部材（120）は、上記室内ユニット用風向調整羽根（53）の回転軸（51）回りの該支持部材（120）の回転が規制されるように上記吹出口（24）の周縁部（24a）に接触する回転規制部（122e）を備えていることを特徴とする風向調整装置。
【請求項５】
請求項１から請求項４の何れかにおいて、
上記支持部材（120）は、上記引掛部材（121）と上記本体部材（122）とが互いに干渉することで上記引掛部材（121）の本体部材（122）への誤組付けを防止する誤組付防止部が設けられていることを特徴とする風向調整装置。
【発明の詳細な説明】
【技術分野】
【０００１】
本発明は、空気調和装置用の風向調整装置に関するものである。
【背景技術】
【０００２】
空気調和装置では、その吹き出し口に、空気調和された空気の向き変えるために、羽板を有した風向調整装置が、例えば、オプション品として用意されてユーザの選択により取り付けられる場合がある（例えば特許文献１を参照）。特許文献１の例では、短冊形状の羽板を支持柱に取り付け、支持柱の基台を空気調和装置の室内ユニットに両面テープを用いて固定している。
【先行技術文献】
【特許文献】
【０００３】
【特許文献１】実用新案登録第３１７４２５６号公報
【発明の概要】
【発明が解決しようとする課題】
【０００４】
しかしながら、両面テープによる固定は信頼性に欠ける場合があるし、位置決めも容易ではない。また、風向調整装置を天井や室内ユニットにネジ穴などを加工してネジ止めすることも考えられるが、作業が繁雑である。
【０００５】
本発明は上記の問題に着目してなされたものであり、空気調和装置用の風向調整装置の取り付けを容易にすることを目的としている。
【課題を解決するための手段】
【０００６】
上記の課題を解決するため、第１の発明は、
空気調和装置の室内ユニット（10）が吹き出す空気を受ける水平羽根（110）と、
上記水平羽根（110）を支持する支持部材（120）と、
を備え、
上記支持部材（120）は、上記室内ユニット（10）の吹出口（24）に設けられて所定範囲で回転する室内ユニット用風向調整羽根（53）の回転軸部分（51,60）に引っ掛かる引掛部材（121）と、該引掛部材（121）が固定される本体部材（122）とを有している
ことを特徴とする。
【０００７】
この構成では、室内ユニット用風向調整羽根（53）の回転軸部分（51,60）に風向調整装置が固定される。
【０００８】
また、第２の発明は、第１の発明において、
上記引掛部材（121）は、Ｕ字状の板部材であることを特徴とする。
【０００９】
この構成では、Ｕ字状の板部材を室内ユニット用風向調整羽根（53）の回転軸部分（51,60）に引っ掛けることで風向調整装置が固定される。
【００１０】
また、第３の発明は、第１又は第２の発明において、
上記本体部材（122）は、上記引掛部材（121）に組み付いて該引掛部材（121）を仮止めする仮止め部（122d）を備えていることを特徴とする。
【００１１】
この構成では、風向調整装置を例えば室内ユニット（10）に組み付ける際に、本体部材（122）と引掛部材（121）とが仮止めされる。
【００１２】
また、第４の発明は、第１から第３の発明の何れかにおいて、
上記支持部材（120）は、上記室内ユニット用風向調整羽根（53）の回転軸（51）回りの該支持部材（120）の回転が規制されるように上記吹出口（24）の周縁部（24a）に接触する回転規制部（122e）を備えていることを特徴とする。
【００１３】
この構成では、風向調整装置を室内ユニット（10）に取り付けした後に、支持部材（120）の回転が規制される。
【００１４】
また、第５の発明は、第１から第４の発明の何れかにおいて、
上記支持部材（120）は、上記引掛部材（121）と上記本体部材（122）とが互いに干渉することで上記引掛部材（121）の本体部材（122）への誤組付けを防止する誤組付防止部が設けられていることを特徴とする。
【発明の効果】
【００１５】
第１の発明や第２の発明によれば、風向調整装置の取り付けを容易に行うことが可能になる。
【００１６】
また、第３の発明においても、風向調整装置の取付作業が容易になる。
【００１７】
また、第４の発明によれば、風向調整装置が確実に固定される。
【００１８】
また、第５の発明によれば、風向調整装置の誤った取り付けが防止される。
【図面の簡単な説明】
【００１９】
【図１】図１は、本発明の実施形態に係る空気調和装置用の風向調整装置が取り付けられる空気調和機の室内ユニットを示す。
【図２】図２は、風向調整装置を室内ユニットに取り付けた状態を示す。
【図３】図３は、室内ユニットの概略の断面図である。
【図４】図４は、室内ユニットの吹出口付近の拡大断面図である。
【図５】図５は、風向調整装置の斜視図である。
【図６】図６は、風向調整装置を、室内ユニットに取り付けた状態を示す。
【図７】図７は、本体部材とリンク部材の斜視図である。
【図８】図８は、本体部材に引掛部材を取り付けた状態を示す斜視図である。
【図９】図９は、引掛部材の平面図である。
【図１０】図１０は、仮止め状態の風向調整装置における支持部材付近の斜視図である。
【図１１】図１１は、風向調整羽根側から見た、仮止め状態の風向調整装置を示す。
【発明を実施するための形態】
【００２０】
以下、本発明の実施形態について図面を参照しながら説明する。なお、以下の実施形態は、本質的に好ましい例示であって、本発明、その適用物、あるいはその用途の範囲を制限することを意図するものではない。
【００２１】
《発明の実施形態》
図１は、本発明の実施形態に係る風向調整装置が取り付けられる空気調和機の室内ユニット（10）を示す。図１は、室内ユニット（10）を斜め下方から見た斜視図である。また、図２は、風向調整装置（100）を、室内ユニット（10）に取り付けた状態を示す。この室内ユニット（10）は、例えば、オプション品として販売され、ユーザの選択により取り付けられる。
【００２２】
〈室内ユニット（10）〉
図１に示すように、本実施形態の室内ユニット（10）は、いわゆる天井埋込型に構成されている。この室内ユニット（10）は、図外の室外ユニットと共に空気調和装置を構成する。空気調和装置では、室内ユニット（10）と室外ユニットを連絡配管で接続することによって、冷媒が循環して冷凍サイクルを行う冷媒回路が形成されている。
【００２３】
図３は、室内ユニット（10）の概略の断面図である。図１、及び図３に示すように、室内ユニット（10）は、ケーシング（20）と、室内ファン（31）と、室内熱交換器（32）と、ドレンパン（33）と、ベルマウス（36）と、化粧パネル（22）とを備えている。
【００２４】
ケーシング（20）は、天井（C）に設置されている。ケーシング（20）内には、ドレンパン（33）とベルマウス（36）が収容されている。
【００２５】
図３に示すように、室内ファン（31）は、下方から吸い込んだ空気を径方向の外側に向けて吹き出す遠心送風機である。
【００２６】
また、ベルマウス（36）は、室内ファン（31）の下方に配置されている。このベルマウス（36）は、ケーシング（20）へ流入した空気を室内ファン（31）へ案内するための部材である。
【００２７】
室内熱交換器（32）は、いわゆるクロスフィン型のフィン・アンド・チューブ熱交換器である。室内熱交換器（32）は、該室内熱交換器（32）を通過する空気と、冷媒回路の冷媒とを熱交換させる。
【００２８】
ドレンパン（33）は、室内熱交換器（32）において生成したドレン水を受け止める。このドレンパン（33）には、主吹出し通路（34）と副吹出し通路（35）とが四つずつ形成されている。主吹出し通路（34）及び副吹出し通路（35）は、室内熱交換器（32）を通過した空気が流れる通路であって、ドレンパン（33）を上下方向に貫通している。
【００２９】
−化粧パネル（22）−
化粧パネル（22）は、ケーシング（20）の下部に設けられる。本実施形態の化粧パネル（22）は、中央部（ベルマウス（36）の下方）に、吸込口（23）を有した吸込グリル（41）が設けられるとともに、複数（この例では、４つ）の吹出口（24）が形成されている。具体的に、４つの吹出口（24）は、吸込グリル（41）の周囲に形成されている。それぞれの吹出口（24）は、細長い開口を有し、吸込グリル（41）の４つの辺部に沿うように形成され、主吹出し通路（34）と連通している。
【００３０】
また、それぞれの吹出口（24）には風向調整羽根（53）が設けられている。すなわち、室内ユニット（10）には、４つの風向調整羽根（53）が設けられている。それぞれの風向調整羽根（53）は、吹出口（24）を流れる空気の流れの向きを調節するように構成されている。具体的には、風向調整羽根（53）は、吹出口（24）の長手方向に沿って延びる板状に形成され、該風向調整羽根（53）の長辺に沿う回転軸（51）が取り付けられている。
【００３１】
図４は、吹出口（24）付近の拡大断面図である。図４に示すように、化粧パネル（22）の各吹出口（24）には、回転軸（51）を回転可能にその両端で支持する軸受（60）が設けられ、風向調整羽根（53）は、回転軸（51）を軸心として所定範囲で回転できるようになっている。風向調整羽根（53）の回転角度は、例えば空気調和装置に設けられたリモートコントローラ（図示を省略）を介して調整するように構成することができる。
【００３２】
〈風向調整装置〉
図５は、風向調整装置（100）の斜視図である。また、図６は、風向調整装置（100）を、室内ユニット（10）に取り付けた状態を示す。図６は、風向調整羽根（53）の回転軸（51）に沿う方向から風向調整装置（100）を見たものである。図５に示すように、風向調整装置（100）は、水平羽根（110）、２つの支持部材（120）、及び複数の垂直羽根（130）を備えている。
【００３３】
−水平羽根（110）−
水平羽根（110）は、室内ユニット（10）が吹出口（24）から吹き出す空気（以下、吹出空気）を受けるものである。この例では、水平羽根（110）は、略長方形状の板部材であり、その長手方向の一辺が上方に折り曲げられている。
【００３４】
また、垂直羽根（130）は、水平羽根（110）が上記吹出空気を受ける面（以下、受風面と呼ぶ）の上に等間隔で並んで配置され、上記吹出空気の流れの左右方向の向きを調整する。この例では、それぞれの垂直羽根（130）には、上記受風面に垂直な軸が設けられ、その軸を中心にして所定範囲で回転できる。また、これらの垂直羽根（130）は、互いにリンク機構（131）で連結されており、そのリンク機構（131）に設けられたレバー（132）を手動操作することで、垂直羽根（130）の回転方向位置（すなわち左右方向の風向き）を変更できる。
【００３５】
−支持部材（120）−
支持部材（120）は、風向調整装置（100）を室内ユニット（10）に固定するために使用する部材である。この支持部材（120）は、引掛部材（121）、本体部材（122）、及びリンク部材（123）を備えている。
【００３６】
図７は、本体部材（122）とリンク部材（123）の斜視図である。本体部材（122）は、例えば樹脂モールドで形成する。本体部材（122）は、図７に示すように、何れも板状の縦壁部（122a）と基台部（122b）とが互いに直交して連なった部材であり、側面から見て略Ｌ字状の形態を有する。
【００３７】
この本体部材（122）は、風向調整装置（100）を室内ユニット（10）に取り付ける際に、引掛部材（121）が固定される。引掛部材（121）の固定作業を容易にするために、この本体部材（122）の縦壁部（122a）には、引掛部材（121）を本体部材（122）に取り付ける際に、引掛部材（121）をガイドする爪部（122c）が２つ設けられている。後に詳述するように、風向調整装置（100）を室内ユニット（10）に取り付ける際には、縦壁部（122a）に引掛部材（121）を沿わせながら、縦壁部（122a）と爪部（122c）との間に引掛部材（121）を挿入する。また、基台部（122b）の周縁部（122e）は、風向調整装置（100）を取り付けた状態で、吹出口（24）の周縁部（24a）（図４参照）に接触するようになっている。これにより、支持部材（120）が風向調整羽根（53）の回転軸（51）回りに回転するのを規制するのである。すなわち、基台部（122b）の周縁部（122e）は、本発明の回転規制部の一例である。
【００３８】
また、リンク部材（123）は、図７に示すように棒状の部材である。リンク部材（123）は、例えば樹脂モールドで形成する。図５に示すように、風向調整装置（100）には、２つのリンク部材（123）が設けられ、本体部材（122）と水平羽根（110）とを連結している。具体的には、リンク部材（123）の一端は、水平羽根（110）の受風面に設けられたブラケット（110a）にピン連結され、他端は支持部材（120）の縦壁部（122a）にピン連結されている。これらのピン連結における回転軸は何れも受風面に対して平行である。本体部材（122）と水平羽根（110）とをこのようにリンク部材（123）で連結することにより、吹出口（24）からの空気の流れ方向と受風面とのなす角度を調整することができる。
【００３９】
そして、図８は、本体部材（122）に引掛部材（121）を取り付けた状態を示す斜視図である。また、図９は、引掛部材（121）の平面図である。図８及び図９に示すように、引掛部材（121）は、Ｕ字状の板部材であり、例えば金属板をプレス加工して形成する。この例では、引掛部材（121）には、それぞれ２つの仮止め穴（121a）、ネジ穴（121b）が形成されている。また、この例では、引掛部材（121）には、風向調整装置（100）の落下防止用の紐などを付けることができる紐固定穴（121e）も形成されている。
【００４０】
そして、引掛部材（121）における内側の曲面部（121c）（図９参照）は、回転軸（51）を支持する軸受（60）にちょうど嵌まり込むように曲率半径（R）が設定されている。また、先端部（121d）は、リンク部材（123）と本体部材（122）との間のピン連結に干渉しないように開口幅（W1）が設定されている。
【００４１】
引掛部材（121）に設けられた仮止め穴（121a）は、引掛部材（121）と本体部材（122）とを固定する際に、引掛部材（121）を本体部材（122）に仮止めするために使用する。この仮止めを行うため、本体部材（122）には、図７に示すように、２つの仮止め部（122d）が形成されている。仮止め部（122d）は、弾性変形可能なカンチレバー（122f）を有し、カンチレバー（122f）の先端には円柱状の突起（122g）が形成されている。この突起（122g）の外径は仮止め穴（121a）の内径よりもやや小さめに形成されている。また、この突起（122g）の先端には切り欠きが形成されている。この切り欠き部分は、引掛部材（121）を爪部（122c）と縦壁部（122a）の間に挿入して行くと引掛部材（121）に押され、それによりカンチレバー（122f）が弾性変形する。
【００４２】
〈風向調整装置（100）の取り付け〉
風向調整装置（100）を室内ユニット（10）に取り付ける前は、引掛部材（121）は支持部材（120）に組み付けられていない。一方、水平羽根（110）と支持部材（120）とはリンク部材（123）によって連結されている。なお、以下では、水平羽根（110）と支持部材（120）とがリンク部材（123）によって連結されているものをサブアセンブリ品と呼ぶ。
【００４３】
図２に示したように風向調整装置（100）を室内ユニット（10）に取り付けるには、まず、引掛部材（121）を回転軸部分（51,60）に引っ掛ける。具体的に本実施形態では、引掛部材（121）のＵ字開口端側が下向きになるように、風向調整羽根（53）の両端にある軸受（60）にそれぞれ引掛部材（121）を引っ掛けている。なお、軸受（60）の代わりに、風向調整羽根（53）の回転軸（51）に、引掛部材（121）を引っ掛けるようにしてもよい。
【００４４】
次に支持部材（120）と引掛部材（121）とを互いに固定する。具体的には、例えば、取付作業者がサブアセンブリ品を手で持ち上げつつ、引掛部材（121）の縦壁部（122a）に引掛部材（121）を沿わせながら、縦壁部（122a）と爪部（122c）との間に引掛部材（121）を挿入する。このように引掛部材（121）を挿入してゆくと、やがて引掛部材（121）は、仮止め部（122d）の突起（122g）に当たって突起（122g）の切り欠きに乗り上げる。それによりカンチレバー（122f）が弾性変形し、更に引掛部材（121）を押し込んでゆくと、突起（122g）が仮止め穴（121a）に嵌まり込む。突起（122g）が仮止め穴（121a）に嵌まり込むと、引掛部材（121）とサブアセンブリ品とが仮止めされることになる（以下、この状態を仮止め状態と呼ぶ）。図１０に、仮止め状態の風向調整装置（100）における支持部材（120）付近を斜視図で示す。また、図１１は、風向調整羽根（53）側から見た、仮止め状態の風向調整装置（100）を示す。仮止め状態では、例えば、取付作業者が手を離してもサブアセンブリ品が落下することはない。
【００４５】
次に、作業者がネジ穴（121b）にネジ（150）をねじ込むことによって引掛部材（121）と支持部材（120）とを固定すれば取り付けは完了である。このネジ止め作業は、サブアセンブリ品が仮止めされているので、サブアセンブリ品を支える必要がなく、容易に実施することができる。なお、組み付け完了状態では、基台部（122b）の周縁部（122e）は、吹出口（24）の周縁部（24a）に接触し、支持部材（120）が風向調整羽根（53）の回転軸（51）回りに回転するのが規制される。
【００４６】
〈本実施形態における効果〉
以上のように本実施形態では、風向調整装置（100）の取り付けに際し、特別にネジ穴を加工する必要がない。また、風向調整羽根（53）の回転軸部分（51,60）を固定に利用するので、位置決めも容易である。したがって、本実施形態によれば、空気調和装置用の風向調整装置の取り付けを容易に行うことが可能になる。
【００４７】
とりわけ、仮止め部（122d）を設けたことにより、その作業はより容易になる。
【００４８】
《その他の実施形態》
なお、引掛部材（121）に紐固定穴（121e）を設けた場合のように、引掛部材（121）の組み付けに方向性がある場合には、組み付けに際して、引掛部材（121）と本体部材（122）とが互いに干渉するように両者の形状を定めるとよい。具体的には、例えば、引掛部材（121）の２つの先端部（121d）の幅や長さを互いに異ならせ、相手側（本体部材（122））の形状をその先端部（121d）に合わせた形状として、先端部（121d）と相手側とによって誤組付防止部を構成することが考えられる。
【００４９】
また、引掛部材（121）は、回転軸や軸受に引っ掛かればＵ字状でなくても良く、例えばフック形状などでも良い。
【００５０】
また、上記実施形態では、引掛部材（121）において回転軸や軸受に引っ掛かる部分は、曲面（曲面部（121c））となっているがこれには限定されず、例えば、直角状であっても良い。
【００５１】
また、風向調整装置（100）の組み付けに際し、引掛部材（121）と本体部材（122）との仮止め（仮止め穴（121a）、仮止め部（122d））は必須ではない。
【００５２】
また、室内ユニット（10）の構造は例示である。また、室内ユニット（10）は、例えば、天井に吊り下げるタイプのものであってもよい。
【産業上の利用可能性】
【００５３】
本発明は、空気調和装置用の風向調整装置として有用である。
【符号の説明】
【００５４】
１０      室内ユニット
２４      吹出口
２４ａ    周縁部
５１      回転軸
５３      室内ユニット用風向調整羽根
６０      軸受
１００      風向調整装置
１１０      水平羽根
１２０      支持部材
１２１      引掛部材
１２２      本体部材
１２２ｄ    仮止め部
１２２ｅ    周縁部（回転規制部）
【図１】
0006610325.tif 000002
【図２】
0006610325.tif 000003
【図３】
0006610325.tif 000004
【図４】
0006610325.tif 000005
【図５】
0006610325.tif 000006
【図６】
0006610325.tif 000007
【図７】
0006610325.tif 000008
【図８】
0006610325.tif 000009
【図９】
0006610325.tif 000010
【図１０】
0006610325.tif 000011
【図１１】
0006610325.tif 000012